(57)【要約】【課題】簡便に、かつ、省スペースで、風量制御装置を製造する。【解決手段】ファンモータの回転速度とファンモータへの印加電圧との関係が設定関係と一致するように、ファンモータへの印加電圧を制御するように構成され、固有情報保持手段が保持している固有情報に基づいて、設定関係がファンモータのモータ特性に対応する設定関係となるように、前記設定関係を補正する補正処理を実行するように構成されている風量制御装置の製造方法であって、固有情報保持工程において、ファンモータに所定の検査電圧を印加してファンモータをオープンループで駆動し、所定の給排気抵抗の通風路に対してファンによって通風作動させたときのファンモータの回転速度を出力回転速度として測定し、前記出力回転速度から前記固有情報への変換を規定する、予め定めた変換関係に基づいて、前記固有情報を決定する。【選択図】図８
2013181683.tif 000002
【特許請求の範囲】
【請求項１】
ファンを所定の通風量で通風作動させるためのファンモータと、そのファンモータへの印加電圧を制御する制御手段とが設けられ、
前記制御手段が、前記所定の通風量に対応して予め設定された前記ファンモータの目標回転速度と前記ファンモータへの印加電圧との設定関係に基づいて、前記ファンモータの回転速度と前記ファンモータへの印加電圧との関係が前記設定関係と一致するように、前記ファンモータへの印加電圧を制御するように構成され、
前記ファンに装着される前記ファンモータの前記目標回転速度と前記印加電圧との固有の関係であるモータ特性に応じた固有情報を保持する固有情報保持手段が設けられ、
前記制御手段が、前記固有情報保持手段が保持している前記固有情報に基づいて、前記設定関係が前記ファンに装着される前記ファンモータの前記モータ特性に対応する設定関係となるように、前記設定関係を補正する補正処理を実行するように構成されている風量制御装置の製造方法であって、
前記固有情報保持手段に固有情報を保持させるための固有情報保持工程において、
前記ファンモータに所定の検査電圧を印加して前記ファンモータをオープンループで駆動し、所定の給排気抵抗の通風路に対して前記ファンによって通風作動させたときの前記ファンモータの回転速度を出力回転速度として測定し、
前記出力回転速度から前記固有情報への変換を規定する、予め定めた変換関係に基づいて、前記固有情報を決定し、この決定した固有情報を前記固有情報保持手段に保持させることを特徴とする風量制御装置の製造方法。
【請求項２】
前記固有情報保持工程において前記ファンモータの周囲温度を測定し、
この周囲温度が標準周囲温度であるときの前記変換関係と、
前記周囲温度が前記標準周囲温度から変化したときの、前記周囲温度に対する前記出力回転速度の温度特性と、に基づいて前記固有情報を決定することを特徴とする請求項１に記載の風量制御装置の製造方法。
【発明の詳細な説明】
【技術分野】
【０００１】
本発明は、ファンを所定の通風量で通風作動させるためのファンモータと、そのファンモータへの印加電圧を制御する制御手段とが設けられ、前記制御手段が、前記所定の通風量に対応して予め設定された前記ファンモータの目標回転速度と前記ファンモータへの印加電圧との設定関係に基づいて、前記ファンモータの回転速度が前記目標回転速度になるように、前記ファンモータへの印加電圧を制御するように構成されている風量制御装置の製造方法に関する。
【背景技術】
【０００２】
上記のような風量制御装置として、ファンに装着されるファンモータの目標回転速度と印加電圧との固有の関係であるモータ特性に応じた固有情報を保持する固有情報保持手段が設けられ、制御手段が、固有情報保持手段が保持している固有情報に基づいて、ファンモータの目標回転速度と前記ファンモータへの印加電圧との設定関係がファンに装着されるファンモータのモータ特性に対応する設定関係となるように、設定関係を補正する初期補正処理を実行するように構成されており、ファンモータの特性にバラツキがある場合であっても、風量を所望の風量に制御する風量制御装置が知られている（例えば、特許文献１参照）。
【０００３】
特許文献１の風量制御装置においては、最大モータトルク用の最大関係Ｓ２、センターモータトルク用の中間関係Ｓ３、最小モータトルク用の最小関係Ｓ４の夫々に相当する補正式が設定され、最大関係Ｓ２、中間関係Ｓ３、最小関係Ｓ４の夫々に対応する抵抗値が設定されており、そして、制御部Ｈは、固有情報（抵抗器２９の抵抗値）を読み込んで、その固有情報（抵抗値）と最大関係Ｓ２、中間関係Ｓ３、最小関係Ｓ４の夫々に対応する固有情報（抵抗値）との偏差に基づいて補正幅を決定し、その補正幅と最大関係Ｓ２、中間関係Ｓ３、最小関係Ｓ４の夫々に対応する補正式とに基づいて、換気ファン１２に装着されるファンモータ１２ａのモータ特性に対応するように設定関係を補正するようにしている。
【０００４】
また、固有情報保持手段に保持すべき固有情報を決定するために、
（１）出荷検査において、設定風量（例えば、１００ｍ3 ／ｈ）になるように、検査対象のファンモータへの印可電圧を制御した状態で、実際の風量を測定し、その測定した風量が設定風量からどの程度ばらついているかの度合いに応じて抵抗値を定めて、その定められた抵抗値の抵抗器を検査対象のファンモータに備えるように構成されている。
【０００５】
なお、上記の出荷検査における、「設定風量（例えば、１００ｍ3 ／ｈ）になるように、検査対象のファンモータへの印可電圧を制御した状態」とは、「標準特性のファンモータが取り付けられたファンによって所定風量（例えば、１００ｍ3 ／ｈ）を通風したときの、この標準特性のファンモータの目標回転速度とこの標準特性のファンモータへの印加電圧との設定関係である標準設定関係を求めておき、この標準設定関係を満足するように、検査対象のファンモータへの印加電圧と検査対象のファンモータの回転数との関係を維持するように制御した状態」であると考えられる。
【先行技術文献】
【特許文献】
【０００６】
【特許文献１】特許第４６９５３０７号公報
【発明の概要】
【発明が解決しようとする課題】
【０００７】
特許文献１の風量制御装置を製造するためには、ファンモータの検査を行い、検査対象のファンモータの特性に応じた固有情報を固有情報保持手段に保持する工程が必要であり、特許文献１に記載の出荷検査において検査対象のファンモータの特性に応じた固有情報を固有情報保持手段に保持するには、該工程において検査装置によって、検査対象のファンモータが取り付けられたファンによって検査工程用の通風路に通風したときの風量、および、検査対象のファンモータに印加する電圧、および、検査対象のファンモータの回転速度の３つの物理量を測定する必要がある。そして、風量を的確に測定するためには、検査工程用の通風路において通風の乱れが生じないようにする必要があるので、検査工程用の通風路の小型化が困難であり、また、該工程において検査するファンモータの機種数に応じた数の検査装置が必要であることから、該工程には相当のスペースが必要であり、該工程がより簡便で、かつ、該工程が省スペースに構成できるように、ファンモータの特性に応じた固有情報を固有情報保持手段に保持する工程における出荷検査方法の改善が望まれていた。
【０００８】
本発明は、かかる点に着目してなされたものであり、その目的は、簡便に、かつ、省スペースで、風量制御装置を製造することが可能になる風量制御装置の製造方法を提供する点にある。
【課題を解決するための手段】
【０００９】
この目的を達成するために、請求項１に記載の発明は、ファンを所定の通風量で通風作動させるためのファンモータと、そのファンモータへの印加電圧を制御する制御手段とが設けられ、前記制御手段が、前記所定の通風量に対応して予め設定された前記ファンモータの目標回転速度と前記ファンモータへの印加電圧との設定関係に基づいて、前記ファンモータの回転速度と前記ファンモータへの印加電圧との関係が前記設定関係と一致するように、前記ファンモータへの印加電圧を制御するように構成され、前記ファンに装着される前記ファンモータの前記目標回転速度と前記印加電圧との固有の関係であるモータ特性に応じた固有情報を保持する固有情報保持手段が設けられ、前記制御手段が、前記固有情報保持手段が保持している前記固有情報に基づいて、前記設定関係が前記ファンに装着される前記ファンモータの前記モータ特性に対応する設定関係となるように、前記設定関係を補正する補正処理を実行するように構成されている風量制御装置の製造方法であって、前記固有情報保持手段に固有情報を保持させるための固有情報保持工程において、前記ファンモータに所定の検査電圧を印加して前記ファンモータをオープンループで駆動し、所定の給排気抵抗の通風路に対して前記ファンによって通風作動させたときの前記ファンモータの回転速度を出力回転速度として測定し、前記出力回転速度から前記固有情報への変換を規定する、予め定めた変換関係に基づいて、前記固有情報を決定し、この決定した固有情報を前記固有情報保持手段に保持させる点を特徴とする。
【００１０】
すなわち、前記固有情報保持手段に固有情報を保持させるための固有情報保持工程におけるファンモータの検査工程は、検査対象のファンモータに所定の検査電圧を印加して検査対象のファンモータをオープンループで駆動し、所定の給排気抵抗の通風路に対して検査対象のファンモータが取り付けられたファンによって通風作動させたときの検査対象のファンモータの回転速度を出力回転速度として測定する、つまり、検査対象のファンモータに印加する電圧、および、検査対象のファンモータの回転速度の２つの物理量を測定するだけで、予め定めた前記出力回転速度から固有情報への変換を規定する変換関係に基づいて、固有情報を決定することができので、この決定した固有情報を前記固有情報保持手段に保持させるだけでの簡便な工程とすることが可能となる。
【００１１】
また、検査対象のファンモータが取り付けられたファンによって検査工程用の通風路に通風したときの風量は測定する必要がないから、検査工程用の通風路において通風の乱れが生じないようにする挌別の配慮は必要ないので、検査工程用の通風路の小型化が可能であり、省スペースで、風量制御装置を製造することが可能になる。
【００１２】
要するに、請求項１の発明によれば、簡便な工程で、また、省スペースで風量制御装置を製造することが可能になる。
【００１３】
請求項２に記載の発明は、前記固有情報保持工程において前記ファンモータの周囲温度を測定し、前記周囲温度が標準周囲温度であるときの前記変換関係と、前記周囲温度が前記標準周囲温度から変化したときの、前記周囲温度に対する前記出力回転速度の温度特性と、に基づいて前記固有情報を決定する点を特徴とする
【００１４】
すなわち、前記固有情報保持工程における検査工程において、検査対象のファンモータの周囲温度を測定し、この周囲温度が標準周囲温度であるときの前記変換関係と、この周囲温度が変化したときの、この周囲温度に対する前記出力回転速度の温度特性と、に基づいて固有情報を決定する。
【００１５】
これにより、検査対象のファンモータの周囲温度が標準周囲温度と異なる場合であっても、検査対象のファンモータの周囲温度に対する前記出力回転速度の温度特性に基づいて、固有情報保持手段に保持すべき固有情報を補正することができるから、検査対象のファンモータの周囲温度によらず、的確に固有情報を決定することができて、安定した性能の風量制御装置の製造が可能となる。
【００１６】
要するに、請求項２の発明によれば、請求項１の発明による効果に加えて、製造時の周囲温度によらず安定した性能の風量制御装置の製造が可能となる。
【発明の効果】
【００１７】
本発明のうち請求項１記載の発明によれば、簡便な工程で、また、省スペースで風量制御装置を製造することが可能になる。
請求項２記載の発明によれば、請求項１の効果に加えて、製造時の周囲温度によらず安定した性能の風量制御装置の製造が可能となる。
【図面の簡単な説明】
【００１８】
【図１】浴室暖房換気装置の概略平面図
【図２】浴室暖房換気装置の概略側面図
【図３】リモコンを示す図
【図４】制御部とファンモータとの配線を示す図
【図５】標準特性のファンモータの回転速度と印加電圧との設定を示すグラフ
【図６】種々特性のファンモータの回転速度と印加電圧との設定を示すグラフ
【図７】ファンモータのＰＱ特性と通風路の負荷特性との関係を示すグラフ
【図８】標準回転速度Ｎｓｔと抵抗器２９の値との関係を示す図
【発明を実施するための形態】
【００１９】
先ず、本発明にかかる製造方法によって製造される風量制御装置を浴室暖房換気装置に適用した例について、図面に基づいて説明する。
図１および図２に示すように、この浴室暖房換気装置は、浴室Ａの天井部に設置されて浴室Ａの乾燥や換気を行う浴室ユニットＢと、浴室Ａ、トイレＣ、および、脱衣室Ｄを換気するための換気ファン１２を備えた換気ユニットＥ、浴室ユニットＢ内に設けられ、浴室ユニットＢおよび換気ユニットＥの運転を制御する制御手段に相当する制御部Ｈ、その制御部Ｈに対して運転指令などを指令するリモコンＲなどから構成されている。
【００２０】
浴室ユニットＢは、下方側が開口し、一側面に換気空気排出用の排気用接続口２を備えたケーシング１と、吸込み部３および吹出し部４を備えてケーシング１の下方側を閉じるように配置されるグリル板５などを備えて構成されている。
そして、ケーシング１の内部には、吸込み部３と吹出し部４とを接続する循環路６が区画形成され、吸込み部３から吹出し部４に至る循環路６の経路の途中で、循環路６に連通するように、排気用接続口２が形成され、その排気用接続口２を開閉する開閉体２０が設けられている。
なお、開閉体２０は、電磁石２０ｂに対して通電状態と非通電状態に切り換えることによって、シャッタ体２０ａを開閉させて、開閉作動されるように構成されている。
【００２１】
また、循環路６内に、吸込み部３に吸気作用するとともに、吸込み空気を吹出し部４および排気用接続口２に送るように通風作用する循環ファン７、循環路６を通流する空気を加熱する熱交換器８が設けられている。
前記熱交換器８には、外部熱源機（図示せず）から温水を循環供給する温水循環路９が接続され、その温水循環路９に、熱交換器８への温水の供給を断続する熱動弁１０が設けられている。
【００２２】
前記換気ユニットＥは、換気ファン用ケーシング１１内に換気ファン１２を収納して構成され、換気ファン用ケーシング１１には、一側面に２個の他室用吸気口１３が形成され、他側面に排気口１４が形成されている。
そして、換気ファン１２が、ファンモータ１２ａの駆動により、換気用ファンケーシング１１内に吸気作用させるとともに、吸引空気を排気口１４から排出するように、換気ファン１２の吐出口を排気口１４に接続するようにしている。
【００２３】
他室吸気口１３の夫々には、他室用吸気口１３の開口量を調整するダンパ１５を上下移動操作自在に設けられ、筒状のダクト接続部１６を介して、トイレＣおよび脱衣室Ｄの夫々に接続される吸気ダクト１７を接続するように構成されている。
排出口１４には、筒状のダクト接続部１８を介して、屋外に延設される排気ダクト１９を接続するように構成されている。
【００２４】
このようにして、ファンモータ１２ａを駆動させて、換気ファン１２を通風作動させて、浴室ユニットＢを介して浴室Ａ内の空気を換気ファン用ケーシング１１内に吸引して、排気ダクト１９を通して換気するとともに、吸気ダクト１７を通してトイレＣおよび脱衣室Ｄ内の空気を換気ファン用ケーシング１１内に吸引して、排気ダクト１９を通して換気するように構成されている。
【００２５】
制御部Ｈは、リモコンＲからの指令に基づいて、開閉体２０を開閉制御するとともに、循環ファン７および換気ファン１２の通風作動を制御するなどして、浴室Ａ内を乾燥する乾燥運転、浴室Ａ内の空気を循環させる涼風運転、浴室Ａ内を暖房する暖房運転、浴室Ａ内やトイレＣおよび脱衣室Ｄ内を通常設定換気量にて換気する通常換気運転、浴室Ａ内やトイレＣおよび脱衣室Ｄ内を２４時間設定換気量にて換気する２４時間換気運転などの各種の運転を実行するように構成されている。
【００２６】
図３に示すように、リモコンＲには、乾燥運転を指令する乾燥運転スイッチ２１、涼風運転を指令する涼風運転スイッチ２２、暖房運転を指令する暖房運転スイッチ２３、通常換気運転を指令する通常換気運転スイッチ２４、２４時間換気運転を指令する２４時間換気運転スイッチ２５、表示部２６などが設けられている。
【００２７】
乾燥運転は、循環ファン７を作動させ、かつ、浴室Ａ内の温度が乾燥用の設定温度範囲に維持されるように、熱動弁１０の開閉を制御して熱交換器８に温水を循環供給するとともに、開閉体２０を開作動させた状態で、設定風量となるように換気ファン１２を作動させて、浴室Ａ内から吸引した空気の一部を、排気用接続口２を通して換気ファン用ケーシング１１内に吸引して、排気ダクト１９を通して屋外に排出させながら、熱交換器８により加熱された循環空気を吹出し部４から浴室Ａ内に吹出すようにしている。
【００２８】
涼風運転は、循環ファン７を作動させるとともに、開閉体２０を開作動させた状態で、設定風量となるように換気ファン１２を作動させて、浴室Ａ内から吸引した空気の一部を、排気用接続口２を通して換気ファン用ケーシング１１内に吸引して、排気ダクト１９を通して屋外に排出させながら、吸込み部３から吸引された循環空気を吹出し部４から浴室Ａ内に吹出すようにしている。
【００２９】
暖房運転は、循環ファン７を作動させ、かつ、浴室Ａ内の温度が暖房用の設定温度範囲に維持されるように、熱動弁１０の開閉を制御して熱交換器８に温水を循環供給させるとともに、開閉体２０を閉作動させて、浴室Ａ内から吸引した空気の全量を熱交換器８により加熱し、その加熱された循環空気を吹出し部４から浴室Ａ内に吹出すようにしている。
【００３０】
通常換気運転は、開閉体２０を開作動させた状態で、通常設定換気量となるように換気ファン１２を作動させて、浴室Ａ内から吸引した空気および吸気ダクト１７を通してトイレＣおよび脱衣室Ｄ内から吸引した空気を換気ファン用ケーシング１１内に吸引して、排気ダクト１９を通して換気するようにして、浴室Ａ、トイレＣ、および、脱衣室Ｄを同時に換気するようにしている。
ちなみに、上述の暖房運転中など、浴室Ａの換気を行いたくないときには、リモコンＲにて指令して、開閉体２０を閉作動させた状態で、換気ファン１２を作動させて、トイレＣおよび脱衣室Ｄのみ換気するようにしている。
【００３１】
２４時間換気運転は、２４時間設定換気量となるように換気ファン１２を作動させて、浴室Ａ内から吸引した空気および吸気ダクト１７を通してトイレＣおよび脱衣室Ｄ内から吸引した空気を換気ファン用ケーシング１１内に吸引して、排気ダクト１９を通して換気するようにして、２４時間継続して、浴室Ａ、トイレＣ、および、脱衣室Ｄを同時に換気するようにしている。
ちなみに、上述の暖房運転中など、浴室Ａの換気を行いたくないときには、リモコンＲにて指令して、開閉体２０を閉作動させた状態で、換気ファン１２を作動させて、トイレＣおよび脱衣室Ｄのみ換気するようにしている。
【００３２】
つぎに、本発明にかかる製造方法によって製造される風量制御装置が適用された浴室暖房換気装置における、制御部Ｈによる換気ファン１２の制御について説明する。
【００３３】
換気ファン１２に装着されるファンモータ１２ａと制御部Ｈとは、図４に示すように、コネクタ２７を介して、電線２８にて接続され、制御部Ｈは、その電線２８を通して、ファンモータ１２ａの回転速度の情報を得るとともに、ファンモータ１２ａに電圧を与えるように構成されている。
そして、制御部Ｈは、ファンモータ１２ａの目標回転速度とファンモータ１２ａへの印加電圧との関係に基づいて、通常設定換気量、および、２４時間設定換気量などの設定風量に対応するファンモータ１２ａの目標回転速度になるように、ファンモータ１２ａへの印加電圧を制御するように構成されている。
【００３４】
ここで、制御部Ｈがファンモータ１２ａへの印加電圧を制御するための、ファンモータ１２ａの目標回転速度とファンモータ１２ａへの印加電圧との設定関係について説明する。
例えば、設定風量がＱ１（例えば１００ｍ3 ／ｈ）であるとする。
【００３５】
図７は、換気ファン１２に装着されるファンモータ１２ａに印加する電圧がＶ１、Ｖ２、Ｖ３、Ｖ４、Ｖ５（Ｖ１＜Ｖ２＜Ｖ３＜Ｖ４＜Ｖ５）であるときの換気ファン１２の静圧Ｐと風量Ｑとの関係を示すＰＱ特性（Ｖ１〜Ｖ５で指示される曲線）、および、換気ファン１２によって通風する通風路の通風抵抗がＬ１、Ｌ２、Ｌ３、Ｌ４、Ｌ５（通風抵抗Ｌ１＜Ｌ２＜Ｌ３＜Ｌ４＜Ｌ５）であるときの通風路における圧力損失Ｐと通風量Ｑとの関係を示すＰＱ特性（Ｌ１〜Ｌ５で示される右上がりの曲線）を示している。
【００３６】
図７において、破線は風量がＱ１（例えば１００ｍ3 ／ｈ）で一定である線を表しており、通風路の通風抵抗が種々異なる場合であっても、通風路の通風抵抗に応じてファンモータ１２ａへの印加電圧を調節することで下記に示すように、換気ファン１２によって通風する通風量をＱ１に合致させることができる。
【００３７】
（１）通風路の通風抵抗がＬ１のときには、風路の通風抵抗がＬ１のときの通風路のＰＱ特性の曲線と破線との交点、つまり、数字１の丸で囲んだ点において、通風路の通風抵抗がＬ１のときの通風路のＰＱ特性の曲線と、換気ファン１２のＰＱ特性の曲線とが交差すれば、通風抵抗がＬ１の通風路にＱ１の通風量で通風されることになるから、ファンモータ１２ａへの印加電圧をＶ１に調節することで通風量はＱ１となる。
【００３８】
（２）同様に、風路の通風抵抗がＬ２のときにはファンモータ１２ａへの印加電圧をＶ２に調節することで、また、風路の通風抵抗がＬ３のときにはファンモータ１２ａへの印加電圧をＶ３に調節することで、また、風路の通風抵抗がＬ４のときにはファンモータ１２ａへの印加電圧をＶ４に調節することで、また、風路の通風抵抗がＬ５のときにはファンモータ１２ａへの印加電圧をＶ５に調節することで、通風量はＱ１となる。
【００３９】
一方、ファンモータ１２ａに印加する電圧がＶ１のときにＱ１の通風量で通風されている場合のファンモータ１２ａの回転速度Ｎ１は換気ファン１２固有の値であり、同様に、ファンモータ１２ａに印加する電圧がＶ２のときにＱ１の通風量で通風されている場合のファンモータ１２ａの回転速度Ｎ２、および、ファンモータ１２ａに印加する電圧がＶ３のときにＱ１の通風量で通風されている場合のファンモータ１２ａの回転速度Ｎ３、および、ファンモータ１２ａに印加する電圧がＶ４のときにＱ１の通風量で通風されている場合のファンモータ１２ａの回転速度Ｎ４、および、ファンモータ１２ａに印加する電圧がＶ５のときにＱ１の通風量で通風されている場合のファンモータ１２ａの回転速度Ｎ５も、夫々換気ファン１２固有の値である。
【００４０】
したがって、Ｑ１の通風量で通風されている場合には、ファンモータ１２ａの回転速度Ｎとファンモータ１２ａに印加する電圧Ｖとの関係は、Ｎ＝Ｎ１のときにはＶ＝Ｖ１、Ｎ＝Ｎ２のときにはＶ＝Ｖ２、Ｎ＝Ｎ３のときにはＶ＝Ｖ３、Ｎ＝Ｎ４のときにはＶ＝Ｖ４、Ｎ＝Ｎ５のときにはＶ＝Ｖ５となる関係が成立する。
換言すれば、Ｎ＝Ｎ１のときにはＶ＝Ｖ１、Ｎ＝Ｎ２のときにはＶ＝Ｖ２、Ｎ＝Ｎ３のときにはＶ＝Ｖ３、Ｎ＝Ｎ４のときにはＶ＝Ｖ４、Ｎ＝Ｎ５のときにはＶ＝Ｖ５となる関係を満たすように、ファンモータ１２ａに印加する電圧Ｖを調節することで、通風路の通風抵抗が未知であってもＱ１の通風量で通風できることになる。
【００４１】
ここで、一般に、浴室暖房換気装置などの換気装置によって通風換気される通風路の通風抵抗は上記Ｌ１〜Ｌ５のように離散的な値をとるのではなく、種々の値をとり得るものであるから、通常設定換気量、および、２４時間設定換気量などの設定風量毎に、ファンモータ１２ａの回転速度Ｎとファンモータ１２ａに印加する電圧Ｖとの設定関係を求めておき、ファンモータ１２ａの回転速度Ｎとファンモータ１２ａへの印加電圧Ｖとの関係がこの設定関係を満足するように、ファンモータ１２ａへの印加電圧Ｖを制御すれば、浴室暖房換気装置によって通風換気される通風量が通常設定換気量、および、２４時間設定換気量などの設定風量に調節されることになる。
【００４２】
これを換言すると、前述の、制御部Ｈは、ファンモータ１２ａの目標回転速度とファンモータ１２ａへの印加電圧との関係に基づいて、通常設定換気量、および、２４時間設定換気量などの設定風量に対応するファンモータ１２ａの目標回転速度になるように、ファンモータ１２ａへの印加電圧を制御するように構成すればよい、ということになる。
【００４３】
本実施形態における浴室暖房換気装置においては、図５に示すように、前記制御部Ｈには、標準温度Ｔｓ（例えば、２４℃）におけるファンモータ１２ａの目標回転速度Ｎとファンモータ１２ａへの印加電圧Ｖとの関係として、設定関係Ｓ１が予め求めて設定してある。
【００４４】
そして、制御部Ｈは、後述する補正処理の実行によって、換気ファン１２に装着されるファンモータ１２ａのモータ特性に対応するように、設定関係Ｓ１を補正するように構成されている。
【００４５】
すなわち、制御部Ｈは、補正処理の実行により、設定関係Ｓ１を補正した補正関係を求めて、その求めた補正関係に基づいて、ファンモータ１２ａの回転速度が目標回転速度Ｎになるように、ファンモータ１２ａへの印加電圧を制御するように構成されている。
【００４６】
上記補正処理について説明する。
前記換気ファン１２に装着されるファンモータ１２ａのモータ特性に応じた固有情報を保持する固有情報保持手段が設けられ、前記制御部Ｈは、浴室暖房換気装置を設置したときに、固有情報保持手段に保持されている固有情報に基づいて、換気ファン１２に装着されるファンモータ１２ａのモータ特性に対応するように、設定関係を補正する補正処理を実行するように構成されている。
【００４７】
すなわち、図４に示すように、固有情報保持手段としての抵抗器２９が設けられ、出荷検査のときに、設定風量（例えば、１００ｍ3 ／ｈ）になるように、ファンモータ１２ａへの印加電圧を制御した状態で、実際の風量を測定し、その測定した風量が設定風量からどの程度ばらついているかの度合いに応じて抵抗値を定める工程を合理化した、後で詳述する工程によって抵抗値を定めて、その定められた抵抗値の抵抗器２９をファンモータ１２ａに装着されるように構成されている。
そして、ファンモータ１２ａに備えられた抵抗器２９を、ファンモータ１２ａと同一のコネクタ２７を介して、制御部Ｈと接続されると、制御部Ｈが、換気ファン１２にファンモータ１２ａを装着した状態で、抵抗器２９の抵抗値を読み込んで、換気ファン１２に装着されるファンモータ１２ａのモータ特性に対応するように、設定関係を補正するようにしている。
【００４８】
詳述すると、制御部Ｈには、図６に示すように、ファンモータ１２ａの目標回転速度とファンモータ１２ａへの印加電圧との関係として、最大モータトルク用の最大関係Ｓ２、センターモータトルク用の中間関係Ｓ３、最小モータトルク用の最小関係Ｓ４の夫々に相当する補正式が設定され、最大関係Ｓ２、中間関係Ｓ３、最小関係Ｓ４の夫々に対応する抵抗値が設定されている。
そして、制御部Ｈは、抵抗器２９の抵抗値を読み込んで、その抵抗値と最大関係Ｓ２、中間関係Ｓ３、最小関係Ｓ４の夫々に対応する抵抗値との偏差に基づいて補正幅を決定し、その補正幅と最大関係Ｓ２、中間関係Ｓ３、最小関係Ｓ４の夫々に対応する補正式とに基づいて、換気ファン１２に装着されるファンモータ１２ａのモータ特性に対応するように設定関係を補正するようにしている。
【００４９】
このようにして、制御部Ｈが、換気ファン１２に装着されるファンモータ１２ａにおけるバラツキ度合いに基づいて、設定関係を補正し、そのファンモータ１２ａのモータ特性に対応した状態で、ファンモータ１２ａへの印加電圧を制御することによって、換気ファン１２に装着されるファンモータ１２ａがどのファンモータでもあっても、所望の風量を得ることができることになる。
また、固有情報保持手段としての抵抗器２９をファンモータ１２ａに備え、ファンモータ１２ａと同一のコネクタ２７を介して制御部Ｈと接続するように構成しているので、ファンモータ１２ａを交換するときには、ファンモータ１２ａとそのファンモータ１２ａに対応する抵抗器２９を交換するだけでよく、その交換作業の容易化を図ることも可能となる。
【００５０】
なお、前記制御部Ｈは、外気温度検出手段による外気温度と所定の温度との偏差に基づいて、設定関係を補正した補正関係を求めて、その求めた補正関係に基づいて、ファンモータ１２ａへの印加電圧を制御する外気温補正を行うように構成されているが、本書においてその詳細な説明は省略する。
【００５１】
つぎに、本発明にかかる製造方法によって製造される風量制御装置を適用した浴室暖房換気装置における、換気ファン１２の製造工程について説明する。
【００５２】
換気ファン１２の製造工程においては、換気ファン１２に装着されるファンモータ１２ａのモータ特性に応じた固有情報を求め、求めた固有情報を固有情報保持手段に保持する必要がある。その場合、該製造工程において検査装置によって、検査対象のファンモータ１２ａが取り付けられたファンによって検査工程用の通風路に通風したときの風量、および、検査対象のファンモータ１２ａに印加する電圧、および、検査対象のファンモータ１２ａの回転速度の３つの物理量を測定する方法を採用すると、風量を的確に測定するためには、検査工程用の通風路において通風の乱れが生じないようにする必要があるので、検査工程用の通風路の小型化が困難であり、また、該製造工程において製造検査するファンモータ１２ａの機種数に応じた数の検査装置が必要であることから、該製造工程には相当のスペースが必要であり、該製造工程がより簡便で、かつ、該製造工程が省スペースに構成できるように、以下に説明する製造方法を採用している。
【００５３】
この換気ファン１２の製造工程においては、以下の手順で換気ファン１２の検査が実行される。
（１）検査用通風路に換気ファン１２が取り付けられる。
（２）換気ファン１２に装着されるファンモータ１２ａに一定の検査電圧Ｖｔ（本実施形態では直流３０Ｖ）が印加されて検査用通風路に通風される。
（３）換気ファン１２の周囲温度Ｔａが測定される。
（４）周囲温度Ｔａにおける換気ファン１２の回転速度Ｎａ〔ｒｐｍ〕が測定される。
（５）周囲温度Ｔａにおける換気ファン１２の回転速度がＮａ〔ｒｐｍ〕である場合における、標準温度Ｔｓ（本実施形態では２４℃）においてこの換気ファン１２に検査電圧Ｖｔ（本実施形態では直流３０Ｖ）を印加してファンモータ１２ａをオープンループで定電圧駆動して検査用通風路に通風した時の、標準温度Ｔｓに対応して換算した標準回転速度Ｎｓｔ〔ｒｐｍ〕を、式１を用いた演算によって求める。
Ｎｓｔ〔ｒｐｍ〕＝Ｎａ＋１．５４０２８×（２４−Ｔａ）・・・・・・（式１）
【００５４】
因みに、上述の式１は検査用通風路に換気ファン１２が取り付けられた状態でファンモータ１２ａに検査電圧Ｖｔ（本実施形態では直流３０Ｖ）が印加されてファンモータ１２ａがオープンループで定電圧駆動されて検査用通風路に通風されたときの、換気ファン１２の回転速度の温度係数が１．５４０２８であり、温度が１℃上昇することで換気ファン１２の回転速度が１．５４０２８ｒｐｍ上昇することによるものである。因みに、温度が１℃低下したときには換気ファン１２の回転速度は１．５４０２８ｒｐｍ低下する。
（６）図８に示す予め定めた変換関係と、式１によって求めた標準回転速度Ｎｓｔとに基づいて、換気ファン１２に装着されているファンモータ１２ａに対応する抵抗器２９の値を決定し、ファンモータ１２ａに装着される。
なお、図８における、標準回転速度Ｎｓｔと抵抗器２９の値との関係は、本実施形態における一例を示すものであり、換気ファン１２の特性に応じて適宜設定されるものである。
【００５５】
図８において、標準回転速度Ｎｓｔを示す目盛り線と抵抗器２９の値を示す目盛り線との交点に付した黒丸は、その点が含まれることを表し、標準回転速度Ｎｓｔを示す目盛り線と抵抗器２９の値を示す目盛り線との交点に付した白丸は、その点が含まれないことを表す。
【００５６】
すなわち、本実施形態において具体的には、
（Ａ）標準回転速度Ｎｓｔが１３０１．０ｒｐｍ以下で１２９１．８ｒｐｍより大きい場合は、抵抗器２９の値は、前述の最大関係Ｓ２に対応する抵抗値である１７．４ｋΩに決定され、
（ｂ）標準回転速度Ｎｓｔが１２９１．８ｒｐｍ以下で１２８２．６ｒｐｍより大きい場合は、抵抗器２９の値は、前述の最大関係Ｓ２と中間関係Ｓ３との間の関係に対応する抵抗値である１５．４ｋΩに決定され、
（ｃ）標準回転速度Ｎｓｔが１２８２．６ｒｐｍ以下で１２７３．４ｒｐｍより大きい場合は、抵抗器２９の値は、前述の最大関係Ｓ２と中間関係Ｓ３との間の関係に対応する抵抗値である１４．０ｋΩに決定され、
（ｄ）標準回転速度Ｎｓｔが１２７３．４ｒｐｍ以下で１２６４．２ｒｐｍより大きい場合は、抵抗器２９の値は、前述の最大関係Ｓ２と中間関係Ｓ３との間の関係に対応する抵抗値である１２．７ｋΩに決定され、
（ｅ）標準回転速度Ｎｓｔが１２６４．２ｒｐｍ以下で１２５０．６ｒｐｍ以上の場合は、抵抗器２９の値は、前述の中間関係Ｓ３に対応する抵抗値である１１．０ｋΩに決定され、
（ｆ）標準回転速度Ｎｓｔが１２５０．６ｒｐｍ未満で１２４１．６ｒｐｍ以上の場合は、抵抗器２９の値は、前述の中間関係Ｓ３と最小関係Ｓ４との間の関係に対応する抵抗値である６．０４ｋΩに決定され、
（ｇ）標準回転速度Ｎｓｔが１２４１．６ｒｐｍ未満で１２３２．６ｒｐｍ以上の場合は、抵抗器２９の値は、前述の中間関係Ｓ３と最小関係Ｓ４との間の関係に対応する抵抗値である３．６５ｋΩに決定され、
（ｈ）標準回転速度Ｎｓｔが１２３２．６ｒｐｍ未満で１２２３．６ｒｐｍ以上の場合は、抵抗器２９の値は、前述の中間関係Ｓ３と最小関係Ｓ４との間の関係に対応する抵抗値である２．１５ｋΩに決定され、
（ｉ）標準回転速度Ｎｓｔが１２２３．６ｒｐｍ未満で１２１４．６ｒｐｍ以上の場合は、抵抗器２９の値は、前述の中間関係Ｓ３と最小関係Ｓ４との間の関係に対応する抵抗値である０．４８７ｋΩに決定され、
ファンモータ１２ａに装着される。
なお、標準回転速度Ｎｓｔが１３０１．０ｒｐｍより大きい、または、１２１４．６ｒｐｍ未満である場合は、検査された換気ファン１２が規格外であると判定され、ファンモータ１２ａには０Ωの抵抗器２９（すなわち短絡線）が実装され、万が一浴室暖房換気装置に規格外の換気ファン１２が実装された場合にも、換気ファン１２が規格外であることの判定が制御部Ｈによって行えるようにしてある。
〔別実施形態〕
【００５７】
（１）上記実施形態では、標準回転速度Ｎｓｔが１３０１．０ｒｐｍより大きい、または、１２１４．６ｒｐｍ未満である場合は、検査された換気ファン１２が規格外であると判定され、ファンモータ１２ａには０Ωの抵抗器２９（すなわち短絡線）が実装される例を示したが、規格外であると判定されたときに、標準回転速度Ｎｓｔが１３０１．０ｒｐｍより大きい場合と、標準回転速度Ｎｓｔが１２１４．６ｒｐｍ未満である場合とを識別できるように、別の値の抵抗器２９を実装してもよく、また、規格外であると判定されたときに抵抗器２９を実装しないように構成してもよい。
【００５８】
（２）上記実施形態では、固有情報保持手段としての抵抗器２９をファンモータ１２ａに備えるように構成したが、制御部Ｈに固有情報保持手段としての記憶手段を備えるように構成して実施することも可能である。
（３）上記実施形態では、２４℃を標準温度Ｔｓとしたが、標準温度Ｔｓは２４℃に限るものではなく、例えば、２０℃や１５℃など適宜変更が可能である。
【００５９】
（４）上記実施形態では、換気運転として、通常換気運転と２４時間換気運転の２種類の換気運転を実行可能な浴室暖房換気装置を例示したが、通常換気運転および２４時間換気運転のどちらか一方のみ運転するものでもよい。
また、上記実施形態では、浴室Ａに加えて、トイレＣおよび脱衣室Ｄを換気可能な浴室暖房換気装置を例示したが、浴室Ａのみを換気可能に構成して実施するなど適宜対応可能である。
【００６０】
（５）上記実施形態では、本発明にかかる風量制御装置のファンを浴室用の換気ファンであるとして、浴室暖房換気装置に適応した例を示したが、例えば、本発明によって製造される風量制御装置のファンを、単なる換気ファンであるとして、居間などを換気する換気装置や、換気ファンに限らず、その他各種のファンであるとして、各種の装置に適応することが可能である。
【符号の説明】
【００６１】
１２    換気ファン
１２ａ  ファンモータ
２９    固有情報保持手段
Ｈ      制御手段
Ｎａ    検査工程の周囲温度における換気ファンの回転速度
Ｎｓｔ  標準周囲温度に換算した換気ファンの回転速度（標準回転速度）
Ｔａ    周囲温度
Ｔｓ    標準温度
Ｖｔ    検査電圧
【図３】
2013181683.tif 000003
【図４】
2013181683.tif 000004
【図７】
2013181683.tif 000005
【図８】
2013181683.tif 000006
【図１】
2013181683.tif 000007
【図２】
2013181683.tif 000008
【図５】
2013181683.tif 000009
【図６】
2013181683.tif 000010